(57)【要約】【課題】少量発泡散布と大量散布の両機能を備え、その切り替えを簡単に行えて、風の影響を受けずに液体散布を能率的に行うようにする。【解決手段】ノズルボディ２７を前後部ノズルボディ２７ａ、２７ｂに２分割し、前部ノズルボディ２７ａの後部側の内部空間を一段と拡張し、後部側の拡張空間内に中央孔４５と周辺孔４６を有する流量規制噴部材２９を設置し、流量規制噴部材２９より前側の拡張空間を空気導入孔３９を設けた空気混入室８０にし、後側の拡張空間内に後部ノズルボディ２７ｂの前部側を収容し、前部ノズルボディ２７ａを前後動可能にし、操作用カバー３３の内面と前部ノズルボディ２７ａの外面との間を空気導入路７９にし、操作用カバー３３を連結用キャップ３７で回動自在に支持し、操作用カバー３３と前部ノズルボディ２７ａの一部の内外面に設けたねじ４３、５３同士を螺合する。【選択図】  図１
2005319365.tif 000002
【特許請求の範囲】
【請求項１】
内部空間を流路とし、その流路の先端付近に噴口を備えた筒状のノズルボディと、そのノズルボディの外側を被う筒状の操作用カバーと、そのノズルボディと連結して連通する流路を形成し、その流路を仕切るストレーナを備えるホース接続用基筒と、そのノズルボディと操作用カバーの両後端部とホース接続用基筒の前端部を収容する筒状の連結用キャップとからなる噴霧ノズルであって、上記ノズルボディを前後部のノズルボディに２分割し、その前部ノズルボディの後部側の内部空間を前部側の内部空間より一段と拡張し、その後部側の拡張空間内に中央孔と周辺孔を有する流量規制噴部材を設置して流路を仕切り、その流量規制噴部材より前側の拡張空間を周囲壁に空気導入孔を設けた空気混入室にし、その後側の拡張空間内に後部ノズルボディの前部側を収容し、その前部ノズルボディを一定範囲で前後動可能にし、その操作用カバーの内面と前部ノズルボディの外面との間を外部から空気を空気導入孔に導く空気導入路にし、その操作用カバーを連結用キャップで回動自在に支持し、その操作用カバーと前部ノズルボディの一部の内外面に設けたねじ同士を螺合し、使用時にその操作用カバーを一方向に回転させた時、ねじを介して前部ノズルボディを後動させ、操作用カバーの内面から前部ノズルボディの外面を離して空気導入路を形成し、同時に流量規制噴部材の後面を後部ノズルボディの前面に当接し、その流量規制噴部材の周辺孔を後部ノズルボディの前面で閉じて、その中央孔を通過する少量の液体中に空気を混入して噴霧し、又操作用カバーを反対方向に回転させた時、ねじを介して前部ノズルボディを前動させて空気導入路を閉じ、同時に流量規制噴部材の後面を後部ノズルボディの前面から離して、その流量規制噴部材の中央孔と周辺孔を通過する多量の液体中に空気を混入せずに噴霧することを特徴とする少量発泡散布・大量散布切替型噴霧ノズル。
【請求項２】
操作用カバーの前部周囲壁に空気取入用の貫通孔を設け、その前部周囲壁の内径とそこに嵌まる前部ノズルボディの周囲壁の外径を共に小さくし、それ等に続く後部側周囲壁の内径と外径を共に大きくして、その操作用カバーと前部ノズルボディの空気導入路を形成する内外面の途中に段差を夫々設け、その段差付近にある内外面の一方にシール部材を設置し、又流量規制噴部材の後面の中央孔と周辺孔との間に中央孔を取り囲むリング状の突条を設け、又は後部ノズルボディの前面にそのリング状突条と同様のリング状突条を設けることを特徴とする請求項１記載の少量発泡散布・大量散布切替型噴霧ノズル。
【発明の詳細な説明】
【技術分野】
【０００１】
本発明は、薬液等の液体散布に使用する噴霧機の噴霧ノズルに関する。
【背景技術】
【０００２】
従来、農作物、その他へ薬液、水等の液体散布をするため、手動噴霧機又は動力噴霧機が使用されている。そして、噴霧機に備えられている液圧送ホースに、噴霧ノズルを接続して用いると、霧状にして液体散布を良好に行なえる。しかし、噴霧ノズルを用途に応じて選択する必要がある。例えば、除草剤を散布する場合には特に薬液が必要な場所以外にかからないようにするため、液体を大粒の霧状にして扇形状に噴射する噴射ノズルが用いられる。
【０００３】
このような噴霧ノズルにより多量散布型除草剤を大量散布、例えば１０ａ当り１００〜１５０リットルの希釈液量を散布する場合には、図１７に示すような噴霧ノズル１を用いる。この大量散布用噴霧ノズル１は先端に噴口２を有する筒状ノズルボディ３の後端部と、その後端部が内部に嵌まるホース接続用基筒４の前端部間に筒状アダプタ５を介在し、その両端部とアダプタ５を収容してノズルボディ３とホース接続用基筒４とを連結する筒状の連結用キャップ６と、シール部材等を用いて構成する。そして、ノズルボディ３の先端面に直線状の両端まで貫くＶ字溝を設け、そのＶ字溝の底中央に噴口２を設ける。それ故、大量の液体を風に飛散し難い大粒の霧状にして扇形状に噴射できる。
【０００４】
又、少量散布型除草剤を少量発泡散布、例えば１０ａ当り２５リットルの希釈液を散布する場合には、図１８に示すような噴霧ノズル７を用いる。この少量発泡散布用噴霧ノズル７は、内部空間８を流路とし、その流路８の先端付近を噴口９を有する部材１０で被い、その流路８の先端部内に噴口９に至る流路形成用の流体衝突部材１１を収容し、周囲壁に空気導入孔１２を設けた筒状のノズルボディ１３と、そのノズルボディ１３の外側を被い、周囲壁に空気取入孔１４を設けた筒状のカバー１５と、そのノズルボディ１３と連結して連通する流路１６を形成し、その流路内にストレーナ１７を備えるホース接続用基筒１８と、そのノズルボディ１３とカバー１５の両後端部とホース接続用基筒１８の前端部を収容する筒状の連結用キャップ１９と、そのノズルボディ１３の後部側の拡張した内部空間内に設置した中央孔２０を有する流量規制噴部材２１と、シール部材等を用いて構成する。
【０００５】
そして、流量規制噴部材２１の中央孔２０を通過する少量の液体中に外部の空気を空気取入孔１４、空気導入孔１２を経て混入し、その空気混入液体を流体衝突部材１１の相対する両側方流路２２を経て、噴口部材１０の直線状山部の両端内に夫々導き、山部の頂中央に開けた噴口９から噴射する。すると、少量の液体が空気を含んだ発泡状態となって粒子径が大きな霧状となり、風によって飛散し難く、大量噴射する場合のように扇形状に噴射できる。
【発明の開示】
【発明が解決しようとする課題】
【０００６】
しかしながら、このような噴霧ノズル１、７は少量発泡散布機能、大量散布機能の単独機能を夫々備えているに過ぎない。それ故、適用作物、適用場所、適用雑草、散布時期に合せて除草剤や散布量を適宜替えなければならない。その際、除草剤の使用方法に合せた噴霧ノズルを使用しなければならない。特に大型のブームスプレヤー等の多頭口の噴霧管では噴霧ノズル１、７の取り替え作業に必要な労力的時間的負担が大きくなる。
【０００７】
本発明は、このような従来の問題点に着目してなされたものであり、少量発泡散布と大量散布の両機能を備え、その切り替えを簡単に行えて、風の影響を受けずに薬液等の液体散布を能率的に行える少量発泡散布・大量散布切替型噴霧ノズルを提供することを目的とする。
【課題を解決するための手段】
【０００８】
上記目的を達成するために、本発明による少量発泡散布・大量散布切替型噴霧ノズルは内部空間を流路とし、その流路の先端付近に噴口を備えた筒状のノズルボディと、そのノズルボディの外側を被う筒状の操作用カバーと、そのノズルボディと連結して連通する流路を形成し、その流路を仕切るストレーナを備えるホース接続用基筒と、そのノズルボディと操作用カバーの両後端部とホース接続用基筒の前端部を収容する筒状の連結用キャップとから構成する。
【０００９】
そして、上記ノズルボディを前後部のノズルボディに２分割し、その前部ノズルボディの後部側の内部空間を前部側の内部空間より一段と拡張し、その後部側の拡張空間内に中央孔と周辺孔を有する流量規制噴部材を設置して流路を仕切り、その流量規制噴部材より前側の拡張空間を周囲壁に空気導入孔を設けた空気混入室にし、その後側の拡張空間内に後部ノズルボディの前部側を収容し、その前部ノズルボディを一定範囲で前後動可能にし、その操作用カバーの内面と前部ノズルボディの外面との間を外部から空気を空気導入孔に導く空気導入路にし、その操作用カバーを連結用キャップで回動自在に支持し、その操作用カバーと前部ノズルボディの一部の内外面に設けたねじ同士を螺合する。
【００１０】
使用時に、その操作用カバーを一方向に回転させた時、ねじを介して前部ノズルボディを後動させ、操作用カバーの内面から前部ノズルボディの外面を離して空気導入路を形成し、同時に流量規制噴部材の後面を後部ノズルボディの前面に当接し、その流量規制噴部材の周辺孔を後部ノズルボディの前面で閉じて、その中央孔を通過する少量の液体中に空気を混入して噴霧する。
【００１１】
又、操作用カバーを反対方向に回転させた時、ねじを介して前部ノズルボディを前動させて空気導入路を閉じ、同時に流量規制噴部材の後面を後部ノズルボディの前面から離して、その流量規制噴部材の中央孔と周辺孔を通過する多量の液体中に空気を混入せずに噴霧する。
【００１２】
又、操作用カバーの前部周囲壁に空気取入用の貫通孔を設け、その前部周囲壁の内径とそこに嵌まる前部ノズルボディの周囲壁の外径を共に小さくし、それ等に続く後部側周囲壁の内径と外径を共に大きくして、その操作用カバーと前部ノズルボディの空気導入路を形成する内外面の途中に段差を夫々設け、その段差付近にある内外面の一方にシール部材を設置し、又流量規制噴部材の後面の中央孔と周辺孔との間に中央孔を取り囲むリング状の突条を設け、又は後部ノズルボディの前面にそのリング状突条と同様のリング状突条を設けると好ましくなる。
【発明の効果】
【００１３】
以上説明した本発明の少量発泡散布・大量散布切替型噴霧ノズルは少量発泡散布と大量散布の両機能を備えており、使用中操作用カバーを手元で一方向又は反対方向に回転することによって、その切り替えを簡単に行うことができ、風の影響を受けずに薬液等の液体散布を能率的に行うことができる。
【００１４】
又、操作用カバーと前部ノズルボディの空気導入路を形成する内外面の途中に段差を夫々設け、その段差付近にある内外面の一方にシール部材を設置することにより、前部ノズルボディを前方に移動して大量散布する際に、空気導入路を内外面の段差箇所の噛み合わせとその段差付近に設置したシール部材によって良く密閉できる。それ故、空気混入室の周囲壁に設けた空気導入孔、空気導入路を通じる液漏れを良く防止できる。
【００１５】
又、流量規制噴部材の後面又は後部ノズルボディの前面にリング状突条を設けることにより、前部ノズルボディを後方に移動して少量発泡散布する際に、流量規制噴部材の後面又は後部ノズルボディの前面に設けたリング状突条が相手面と当接することによって、流量規制噴部材の周辺孔を良く密閉できる。それ故、流量規制噴部材の中央孔を通過する少量の液体に空気を混入して少量発泡散布を良く行える。
【発明を実施するための最良の形態】
【００１６】
以下、添付の図１〜１６を参照して、本発明の実施の最良形態を説明する。
図１は本発明を適用した少量発泡散布・大量散布切替型噴霧ノズルの少量発泡散布時の状態を示す部分縦断面図である。この少量発泡散布・大量散布切替型噴霧ノズル２５はその主要部を、内部空間を流路２６とする筒状のノズルボディ２７と、その流路２６の先端部内に収容する円板状の流体衝突部材２８と、その流路２６の途中を仕切る円板状の流量規制噴部材２９と、その流路２６の先端付近を外側から被う噴口３０を有する板状の噴口部材３１と、その噴口部材３１をノズルボディ２７の先端付近に固定する筒状のノズルヘッドキャップ３２と、そのノズルボディ２７の外側を被う筒状の操作用カバー３３と、そのノズルボディ２７と連結して連通する流路３４を形成するホース接続用基筒３５と、その流路３４を仕切るストレーナ３６と、そのノズルボディ２７と操作用カバー３３の両後端部とホース接続用基筒３５の前端部を収容する筒状の連結用キャップ３７とから構成する。
【００１７】
そして、ノズルボディ２７を前後部のノズルボディ２７ａ、２７ｂに２分割し、更にその前部ノズルボディ２７ａを先側ノズルボディ２７ａ１、中間ノズルボディ２７ａ２に２分割する。この中間ノズルボディ２７ａ２は図２、３に示すような筒状体にし、その外径を大略前部、中間部、後部の順に大きくし、その内径を大略中間部、前部、後部の順に大きくする。そして、前部周囲壁の相対する縁部付近に、先側ノズルボディ２７ａ１の係合突起が嵌まる凹所３８（３８ａ、３８ｂ）を夫々設ける。又、中間部周囲壁の相対する位置に流路２６に通じる空気導入用の貫通孔３９（３９ａ、３９ｂ）を夫々設け、その各空気導入孔３９の入口付近の口径を空気が孔内に流入し易いように大きくする。又、中間部の前部との境界付近の外周面の段差箇所に、シール部材たるＯリングを嵌めるための周囲溝４０を設ける。
【００１８】
又、後部の相対する縁部付近に後部ノズルボディ２７ｂの係合突起が嵌まる受け凹所４１（４１ａ、４１ｂ）を夫々設け、その後部の中間部寄り内部空間４２を前部側の内部空間より一段と拡張し、そこを流量規制噴部材２９を設置するための箇所にする。しかも、その流量規制噴部材設置用空間４２より中間部に向って内径を小さくして内部空間を縮小して行き、後方に向って内径を大きくして内部空間を拡張して行く。又、後部の縁部付近を除く外周面に広く雄ねじ４３を設ける。
【００１９】
組立時、中間ノズルボディ２７ａ２の周囲溝４０にＯリング４４を嵌め、内部空間４２に流量規制噴部材２９を圧入して嵌める。この流量規制噴部材２９には図４、５に示すように、板面に対して垂直方向に貫通する中央孔４５と４個の周辺孔４６とを設け、その周辺孔４６は中央孔４５と同心状の円に沿って等間隔に配置する。しかも、前面中央部を前方に少し筒状に突出させ、その中央筒部４７の内部を中央孔４５にする。
【００２０】
そして、図６、７に示すような操作用カバー３３の内部に中間ノズルボディ２７ａ２を嵌めて組み付ける。この操作用カバー３３は筒状体にし、その外径をほぼ同一にする。そして、操作用カバー３３の前部には外周面に沿って８箇所等間隔にして縁まで達する凹所４９（４９ａ、…４９ｈ）を配設し、更に、その相対する位置にある両凹所４９ｃ、４９ｇの各中央部に縁まで貫くスリット状の貫通孔を空気取入孔５０（５０ａ、５０ｂ）として夫々設ける。但し、後端付近には外周面にリング状突部５１を設け、その突部５１を連結用キャップ３７との係合箇所にする。又、操作用カバー３３の内径を大略前部、中間部、後部の順に大きくし、その前部の中間部との境界付近の内周面の段差５２の箇所を中間部の一定内径に達するまで徐々に大きくし、その段差箇所を傾斜内周面にする。又、中間部の前端部付近を除く内周面に中間ノズルボディ２７ａ２の雄ねじ４３と螺合する雌ねじ５３を設ける。
【００２１】
このようにして組み立てた中間ノズルボディ２７ａ２と操作用カバー３３の後部側内部に嵌まる後部ノズルボディ２７ｂは、図８、９に示すような筒状体にし、その外径を大略前部、中間部、後部の順に大きくする。そして、前部前面の中央穴近くの周囲にリング状突条５４を設け、その前部外周面の中間部寄りの相対する位置に、中間ノズルボディ２７ａ２の受け凹所４１に嵌まる係合突起５５（５５ａ、５５ｂ）を夫々設ける。又、中間部外周面にＯリングを嵌めるための周囲溝５６を設ける。又、後部外周面の中間部寄りに、操作用カバー３３の後端部を受ける受け溝５７を前面側に設けたリング状突部５８を設け、その突部５８を連結用キャップ３７との係合箇所にする。又、後部外周面の突部５８より後端側の相対する位置に突起５９（５９ａ、５９ｂ）を夫々設け、その各突起５９をホース接続用基筒３５の前端部に設けた対応する受け凹所に嵌まる係合箇所にする。又、後部ノズルボディ２７ｂの内径を大略前部、中間部、後部の順に大きくする。そこで、後部ノズルボディ２７ｂの周囲溝５６にＯリング６０を嵌めた後、組み立てた中間ノズルボディ２７ａ２と操作用カバー３３の後部側内部に嵌めて組み付ける。
【００２２】
このような後部ノズルボディ２７ｂと連結するホース接続用基筒３５は少し屈曲した筒状体にし、その外径を前後部を夫々大きく、中間部を小さくする。そして、前部付近の外周面に雄ねじ６１を設け、後部内周面に雌ねじ（図示なし）を設ける。又、ホース接続用基筒３５の内径を前部で大きく、それより後部側を小さくする。すると、前部と中間部との境界にある内周面に段差６２を設けることができる。そこで、ホース接続用基筒３５を後部ノズルボディ２７ｂに組み付ける際、ホース接続用基筒３５の段差６２の面にストレーナ３６の周辺部とＯリング６３を重ねて備え付け、その前部内に後部ノズルボディ２７ｂの後端部付近を嵌めて接合する。
【００２３】
そこで、後部ノズルボディ２７ｂとホース接続用基筒３５との接合箇所の外側に連結用キャップ３７を嵌め、その内周面中間部に設けられている雌ねじ６４を雄ねじ６１と螺合する。しかも、連結用キャップ３７に前端部の内径を後部側より小さくして、内方に突出するリング状突部６５を設ける。すると、そのリング状突部６５が操作用カバー３３の後端付近に設けたリング状突部５１の抜け止めとして作用し、操作用カバー３３を回動自在に支持できる。
【００２４】
このような組立体の中間ノズルボディ２７ａ２と結合し、前部ノズルボディ２７ａを構成する先端ノズルボディ２７ａ１は、図１０〜１３に示すような筒状体にし、その外径を大略前部、中間部、後部の順に大きくする。そして、前部の外周面にリング状突条６６を設け、その突条６６をノズルヘッドキャップ３２との係合箇所にする。又、前部の前端付近の外周面にＯリングを嵌めるための段差６７を設け、更にその後端付近の外周面に円に沿って４箇所等間隔にして凹所６８（６８ａ、…６８ｄ）を夫々設ける。又、中間部の外周面の前部寄りの相対する位置に突起６９（６９ａ、６９ｂ）を夫々設け、更にその後端部寄りの外周面にリング状突条７０を設け、その各突起６９、突条７０を中間ノズルボディ２７ａ２との係合箇所にする。又、中間部と後部との境界を外周面にＯリングを嵌めるための段差７１にする。
【００２５】
又、先側ノズルボディ２７ａ１の内径を大略前部では拡張して一段と大きくし、中間部と後部では小さくする。そして、前部の内部空間内を噴口３０に至る流路の大部分を仕切る流体衝突部材２８の設置箇所にし、その流体衝突部材２８の相対する両側方に当たる位置に、噴口部材３１の内側空間に達する側方流路７２（７２ａ、７２ｂ）を夫々設ける。又、先側ノズルボディ２７ａ１の前面に各側方流路７２に沿わせて前方に少し突出する突起７３（７３ａ、７３ｂ）を夫々設け、噴口３０へ流体を円滑に導くようにする。
【００２６】
このような先側ノズルボディ２７ａ１を組み付ける際、段差７１の箇所にＯリング７４を嵌めた後、その先側ノズルボディ２７ａ１の後部側を中間ノズルボディ２７ａ２の内部に挿入する。そして、先側ノズルボディ２７ａ１の中間部外周面に設けた相対する各突起６９とリング状突条７０を中間ノズルボディ２７ａの前部内周面に設けた対応する各凹所３８、リング状溝７５に夫々嵌めて結合する。すると、前部ノズルボディ２７ａが完成する。
【００２７】
そこで、先側ノズルボディ２７ａ１の前部外周面の段差６７の箇所にＯリング７６を嵌め、その内部空間内に流体衝突部材２８を収容する。そして、先側ノズルボディ２７ａ１の先端付近の外側に噴口部材３１を備え付けた後、その前部にノズルヘッドキャップ３２を被せる。すると、ノズルヘッドキャップ３２の内周面に設けたリング状溝７７に先側ノズルボディ２７ａ１の外周面に設けたリング状突条６６が嵌まり、ノズルヘッドキャップ３２が先側ノズルボディ２７ａ１に結合する。しかも、ノズルヘッドキャップ３２にはその先端部の内径を後部側より小さくして、内方に突出するリング状突部７８を設ける。それ故、そのリング状突部７８で噴口部材３１の周辺部とＯリング７６を押えて、その噴口部材３１を先側ノズルボディ２７ａ１に良く固定できる。そして、少量発泡散布・大量散布切替型噴霧ノズル２５が完成する。
【００２８】
このようにして組み立てた噴霧ノズル２５は、連結用キャップ３５等を一方の手で握って固定し、他方の手で操作用カバー３３を回動すると、その操作用カバー３３は前部ノズルボディ２７ａの中間ノズルボディ２７ａ２とその内外面に設けたねじ４３、５３同士が螺合しているので、前部ノズルボディ２７ａを一定範囲で前後動できる。そして、前部ノズルボディ２７ａが最も後方の位置にあって、流量規制噴部材２９の後面が後部ノズルボディ２７ｂの前面に当接している時、操作用カバー３３の内周面と中間ノズルボディ２７ａ２の外周面との間を空気導入路７９にできる。それ故、外部から空気を空気取入孔５０により取り入れ、空気導入路７９を経て、空気導入孔３９に良く導くことができる。その際、流量規制噴部材２９の後面を平面にし、その後面と後部ノズルボディ２７ｂの前面に設けたリング状突条５４との当接による密接触によって流量規制噴部材２９の周辺孔４６を良く密閉できる。なお、流量規制噴部材２９の後面の中央孔４５と周辺孔４６との間に中央孔４５を取り囲む同様のリング状突条を設け、後部ノズルボディ２７ｂの前面を平面にしてもよい。
【００２９】
又、前部ノズルボディ２７ａをその後方位置から前方に移動させると、流量規制噴部材２９の後面から後部ノズルボディ２７ｂの前面に設けたリング状突条５４が離れて、前後面間が離れる。すると、操作用カバー３３と中間ノズルボディ２７ａ２の空気導入路７９を形成する内外周面の途中にリング状段差５２等が夫々設けられており、その外周面の段差箇所にＯリング４４が設置されているので、その空気導入路７９を内外周面の段差箇所の噛み合わせと、そのＯリング４４によって良く密閉できる。そして、前部ノズルボディ２７ａの前動が停止する。なお、操作用カバー３３の内周面の段差５２の箇所にＯリングを設置し、中間ノズルボディ２７ａ２の外周面に段差箇所のみを設けておいてもよい。
【００３０】
使用時、少量発泡散布・大量散布切替型噴霧ノズル２５のホース接続用基筒３５を噴霧機に備え付けた液圧送ホースと接続する。そして、除草剤等の液体を少量発泡散布する場合には、操作用カバー３３を一方向に回転して、流量規制噴部材２９の後面を後部ノズルボディ２７ｂの前面に当接する。すると、流量規制噴部材２９の各周辺孔４６が後部ノズルボディ２７ｂの前面で閉じられ、その中央孔４５のみが開孔状態になって、空気導入路７９が開く。
【００３１】
そこで、図１４に示すように接続した液圧送ホースから一点鎖線の矢印で示すように加圧液体を送り込むと、流量規制噴部材２９の中央孔４５を通過する少量の液体が中央筒部４７から噴出して、流量規制噴部材２９の前側にある周囲壁に空気導入孔３９を設けた拡張した空間である空気混入室８０に入る。すると、空気混入室８０の内部で液体の圧力が急激に下がって、外部から二点鎖線の矢印で示す経路を経て導入される空気を良く巻き込むことができる。そして、空気混入液体が流路２６を前方に進み、その先端部に収容されている流体衝突部材２８の後面に衝突した後、両側方流路７２を経て噴口３０に向う。すると、その噴口３０から少量の液体が空気を含んだ発泡状態となって粒子径が大きな霧状となり、扇形状に噴射する。
【００３２】
大量散布を行う場合、操作用カバー３３を反対方向に回転する。すると、図１５に示すように前部ノズルボディ２７ａが前方に移動し、その内部に収容した流量規制噴部材２９の後面が後部ノズルボディ２７ｂの前面から離れ、空気導入路７９を良く密閉できる。そして、空気混入室８０の周囲壁に設けた空気導入孔３９、空気導入路７９を通じる液漏れを良く防止できる。そこで、図１６に示すように接続した液圧送ホースから一点鎖線の矢印で示すように加圧液体を送り込むと、流量規制噴部材２９の中央孔４５と周辺孔４６を通過して、大量の液体が空気混入室８０に入る。しかし、空気導入路７９が閉じられているので、その空気混入室８０に空気が入らない。大量の液体が流路２６を前方に進み、その先端部に収容されている流体衝突部材２８の後面に衝突し、両側方流路７２を経て噴口３０に向う。すると、その噴口３０から大量の液体が大粒径の霧状となり、扇形状に噴射する。それ故、必要箇所に大量散布を行うことができる。
【００３３】
このようにして、少量発泡散布・大量散布切替型噴霧ノズル２５を使用すると、操作用カバー３３を回動するだけの簡単な操作により、少量発泡散布と大量散布との切り替えを簡単に行うことができて、風の影響を受けずに除草剤等の液体散布を能率的に行うことができる。
【図面の簡単な説明】
【００３４】
【図１】本発明を適用した少量発泡散布・大量散布切替型噴霧ノズルの少量発泡散布時の状態を示す部分縦断面図である。
【図２】同噴霧ノズルの前部ノズルボディを構成する中間ノズルボディの縦断面図である。
【図３】同中間ノズルボディの左側面図である。
【図４】同中間ノズルボディの内部に収容する流量規制噴部材の平面図である。
【図５】同流量規制噴部材の部分縦断面図である。
【００３５】
【図６】同噴霧ノズルの操作用カバーの平面図である。
【図７】同操作用カバーの部分縦断面図である。
【図８】同噴霧ノズルの後部ノズルボディの縦断面図である。
【図９】同後部ノズルボディの左側面図である。
【００３６】
【図１０】同噴霧ノズルの前部ノズルボディを構成する先側ノズルボディの平面図である。
【図１１】同先側ノズルボディの縦断面図である。
【図１２】同先側ノズルボディの底面図である。
【図１３】同先側ノズルボディの左側面図である。
【００３７】
【図１４】同噴霧ノズルの少量発泡散布時の流体の流れを示す縦断斜視図である。
【図１５】同噴霧ノズルの大量散布時の状態を示す部分縦断面図である。
【図１６】同噴霧ノズルの大量散布時の液体の流れを示す縦断斜視図である。
【００３８】
【図１７】従来の大量散布型噴霧ノズルの部分縦断面図である。
【図１８】従来の少量発泡散布型噴霧ノズルの部分縦断面図である。
【符号の説明】
【００３９】
２５…少量発泡散布・大量散布切替型噴霧ノズル  ２６、３４…流路  ２７…ノズルボディ｛２７ａ…前部ノズルボディ（２７ａ１…先側ノズルボディ  ２７ａ２…中間ノズルボディ）  ２７ｂ…後部ノズルボディ｝  ２８…流体衝突部材  ２９…流量規制噴部材  ３０…噴口  ３１…噴口部材  ３２…ノズルヘッドキャップ  ３３…操作用カバー  ３５…ホース接続用基筒  ３６…ストレーナ  ３７…連結用キャップ  ３９…空気導入孔  ４３…雄ねじ  ４４…Ｏリング（シール部材）  ４５…中央孔  ４６…周辺孔  ５０…空気取入孔  ５１、５８、６５…リング状突部  ５２…段差  ５３…雌ねじ  ５４…リング状突条  ７２…側方流路  ７９…空気導入路  ８０…空気混入室
【図１】
2005319365.tif 000003
【図２】
2005319365.tif 000004
【図３】
2005319365.tif 000005
【図４】
2005319365.tif 000006
【図５】
2005319365.tif 000007
【図６】
2005319365.tif 000008
【図７】
2005319365.tif 000009
【図８】
2005319365.tif 000010
【図９】
2005319365.tif 000011
【図１０】
2005319365.tif 000012
【図１１】
2005319365.tif 000013
【図１２】
2005319365.tif 000014
【図１３】
2005319365.tif 000015
【図１４】
2005319365.tif 000016
【図１５】
2005319365.tif 000017
【図１６】
2005319365.tif 000018
【図１７】
2005319365.tif 000019
【図１８】
2005319365.tif 000020